(57)【要約】      （修正有）【課題】腰痛を予防する板状腰プレートを内蔵し、サイズ調節時に衣服を脱着することなく、腰周りのサイズ調節ができる腰痛サポーター付きウェストバッグを提供する。【解決手段】腰痛サポーター付きウェストバッグは、少なくとも１つ以上の収納部５を持つウェストバッグ本体１にサイズ調節用面ファスナー２と締付調節用ベルト７ａ、７ｂ、脱着可能な板状腰プレート挿入部３および板状腰プレート４を備える。板状腰プレート４は、本体１生地に、切込みを入れ脱着可能な機構を有する。板状腰プレート４は、使用者の背中部分に密着するよう装着可能で、サイズ調節用面ファスナー２と締付調節用ベルトメス７ａと、締付調節用ベルトオス７ｂにより腰回りのサイズ調節ができ、腰が可動することによる痛みの発生を予防する効果を与える。【選択図】図１
0003233858.tif 000002
【実用新案登録請求の範囲】
【請求項１】
ウェストバッグ本体にサイズ調節用ベルクロ部を設け、当該ベルクロ部に、切込みを入れ脱着可能な樹脂プレートを挿入し、背中部分にそのプレートを当てることで、腰が可動することによる痛みの発生を予防する、腰痛サポーター機能付きウェストバッグ
【請求項２】
請求項１に記載のウェストバッグであって、ウェストバッグ本体に、折り畳み式荷台を設け、荷台部分に重量物を載せることができる、運搬補助機能付きウェストバッグ
【考案の詳細な説明】
【技術分野】
【０００１】      本考案は、腰痛を予防する板状腰プレートを内蔵した、ウェストバッグに関するものである。
【背景技術】
【０００２】      腰サポーターにおいては、サイズ可能な伸縮性生地と板状腰サポーターを腰に巻き付けて腰の可動性を制限し腰痛を予防するものがある。【０００３】      従来の腰サポーターは衣服の中に着用することを前提とし、サイズ調節には衣服を脱ぐ必要があった。
【先行技術文献】
【特許文献】
【０００４】
【特許文献１】実登３１７３７４５号  広報
【考案の概要】
【考案が解決しようとする課題】
【０００５】      本考案は、従来の衣服の中に着用する腰サポーターが、サイズ調節時に衣服を外す必要が生まれる問題点を解決するため、ウェストバッグの構造を利用し衣服を脱着することなく、腰周りのサイズ調節ができるようにすることを目的としている。
【課題を解決するための手段】
【０００６】      本考案は、少なくとも１つ以上の収納部を持つウェストバッグ本体にサイズ調節用ベルクロと締付調節用ベルト、脱着可能な板状腰プレート挿入部および板状腰プレートを備える。板状腰プレートは、本体生地に、切込みを入れ脱着可能な機構を有する。板状腰プレートは、使用者の背中部分に密着するよう装着可能で、サイズ調整用ベルクロと締付調節用ベルトにより腰回りのサイズ調整ができ、腰が可動することによる痛みの発生を予防する効果を与える。
【考案の効果】
【０００７】    上述の様に、本考案の腰サポーター付きウェストバッグは、ウェストバッグとしての見た目で、衣服の外に着用が可能となり、腰サポーターのサイズを調整する際に、衣服を脱着する必要がなくなった。
【図面の簡単な説明】
【０００８】
【図１】本考案の腰サポーター付きウェストバッグの展開図である。
【図２】本サポーターの正面図である。
【図３】本サポーターの着用イメージ図である。
【考案を実施するための形態】
【０００９】  以下、本発明の形態を図示に基づいて説明する。ウェストバッグ本体１表側に付属のベルクロ３を腰部に当て、締付調整ベルトメス７ａから体に巻き付けると、ベルクロ部の上に折り畳み式架台部６が重なる。折り畳み式仮題部裏側生地にはベルクロテープが張り付く生地とすることで、ウェストバッグ本体がベルクロのみで固定できる。締付調整ベルト７ａ・７ｂは、長さ調節が可能で腰回りに合わせてサイズの微調整を可能とする。また、ベルクロ部上部３は縫製せず開放することで、板状の腰プレート４の出し入れを可能とする。ベルクロ３と折り畳み式架台部６の間には、物を収納できるポケット部５を設けることで物品の収納を可能とする。
【符号の説明】
【００１０】  １    ウェストバッグ本体
２    サイズ調節用ベルクロ
３    板状腰プレート挿入部
４    板状腰プレート
５    収納部（ポケット）
６    折り畳み式荷台
７ａ  締付調節用ベルトメス
７ｂ  締付調節用ベルトオス
【図１】
0003233858.tif 000003
【図２】
0003233858.tif 000004
【図３】
0003233858.tif 000005
【手続補正書】
【提出日】令和3年5月21日(2021.5.21)
【手続補正１】
【補正対象書類名】実用新案登録請求の範囲
【補正対象項目名】請求項１
【補正方法】変更
【補正の内容】
【請求項１】
ウェストバッグ本体にサイズ調節用面ファスナーを設け、当該面ファスナー部に、切込みを入れ脱着可能な樹脂プレートを挿入し、背中部分にそのプレートを当てることで、腰が可動することによる痛みの発生を予防する、腰痛サポーター機能付きウェストバッグ
【手続補正２】
【補正対象書類名】明細書
【補正対象項目名】全文
【補正方法】変更
【補正の内容】
【考案の詳細な説明】
【技術分野】
【０００１】      本考案は、腰痛を予防する板状腰プレートを内蔵した、ウェストバッグに関するものである。
【背景技術】
【０００２】      腰サポーターにおいては、サイズ可能な伸縮性生地と板状腰サポーターを腰に巻き付けて腰の可動性を制限し腰痛を予防するものがある。【０００３】      従来の腰サポーターは衣服の中に着用することを前提とし、サイズ調節には衣服を脱ぐ必要があった。
【先行技術文献】
【特許文献】
【０００４】
【特許文献１】実登３１７３７４５号  広報
【考案の概要】
【考案が解決しようとする課題】
【０００５】      本考案は、従来の衣服の中に着用する腰サポーターが、サイズ調節時に衣服を外す必要が生まれる問題点を解決するため、ウェストバッグの構造を利用し衣服を脱着することなく、腰周りのサイズ調節ができるようにすることを目的としている。
【課題を解決するための手段】
【０００６】      本考案は、少なくとも１つ以上の収納部を持つウェストバッグ本体にサイズ調節用面ファスナーと締付調節用ベルト、脱着可能な板状腰プレート挿入部および板状腰プレートを備える。板状腰プレートは、本体生地に、切込みを入れ脱着可能な機構を有する。板状腰プレートは、使用者の背中部分に密着するよう装着可能で、サイズ調整用面ファスナーと締付調節用ベルトにより腰回りのサイズ調整ができ、腰が可動することによる痛みの発生を予防する効果を与える。
【考案の効果】
【０００７】    上述の様に、本考案の腰サポーター付きウェストバッグは、ウェストバッグとしての見た目で、衣服の外に着用が可能となり、腰サポーターのサイズを調整する際に、衣服を脱着する必要がなくなった。
【図面の簡単な説明】
【０００８】
【図１】本考案の腰サポーター付きウェストバッグの展開図である。
【図２】本サポーターの正面図である。
【図３】本サポーターの着用イメージ図である。
【考案を実施するための形態】
【０００９】  以下、本発明の形態を図示に基づいて説明する。ウェストバッグ本体１表側に付属の面ファスナー３を腰部に当て、締付調整ベルトメス７ａから体に巻き付けると、面ファスナー部の上に折り畳み式架台部６が重なる。折り畳み式架台部裏側生地には面ファスナーテープが張り付く生地とすることで、ウェストバッグ本体が面ファスナーのみで固定できる。締付調整ベルト７ａ・７ｂは、長さ調節が可能で腰回りに合わせてサイズの微調整を可能とする。また、面ファスナー部上部３は縫製せず開放することで、板状の腰プレート４の出し入れを可能とする。面ファスナー３と折り畳み式架台部６の間には、物を収納できるポケット部５を設けることで物品の収納を可能とする。
【符号の説明】
【００１０】１    ウェストバッグ本体
２    サイズ調節用面ファスナー
３    板状腰プレート挿入部
４    板状腰プレート
５    収納部（ポケット）
６    折り畳み式荷台
７ａ  締付調節用ベルトメス
７ｂ  締付調節用ベルトオス